(57)【要約】【課題】記録準備中やスクープ映像があった場合についても取り逃がしのなく、記録媒体がない場合でも記録対応可能なカメラ映像記録装置及びカメラ映像記録方法を提供する【解決手段】撮像信号を記録する第１の記録媒体１２と、第１の記録媒体１２の記録内容を転送して記録する第２の記録媒体１３と、第２の記録媒体１３の有無を検出する検出手段１４と、前記第１の記録媒体１２および前記第２の記録媒体１４を制御する記録制御手段１５を有し、記録準備中に検出手段１４が有りと判断した場合に記録制御手段１５は第１の記録媒体１２にエンドレス記録を行わせる制御を行い、記録中に検出手段１４が有りと判断した場合に記録制御手段１５は第１の記録媒体１２に第２の記録媒体１３のバッファメモリとして動作させる制御を行い、記録中に検出手段１４が無しと判断した場合に記録制御手段１５は第１の記録媒体１２に所定時間の記録をさせる制御を行う。【選択図】図１
2010050732.tif 000002
【特許請求の範囲】
【請求項１】
固体撮像素子からの撮像信号をカメラ信号処理後に符号化処理する符号化手段と、
該符号化処理した撮像信号を記録する第１の記録媒体と、
該第１の記録媒体の記録内容を転送して記録する第２の記録媒体と、
該第２の記録媒体の有無を検出する検出手段と、
前記第１の記録媒体および前記第２の記録媒体を制御する記録制御手段とを備え、
記録準備中に前記検出手段が有りと判断した場合、前記記録制御手段は前記第１の記録媒体にエンドレス記録を行わせる制御を行い、
記録中に前記検出手段が有りと判断した場合、前記記録制御手段は前記第１の記録媒体に前記第２の記録媒体のバッファメモリとして動作させる制御を行い、
記録中に前記検出手段が無しと判断した場合、前記記録制御手段は前記第１の記録媒体に所定時間の記録をさせる制御を行う、
ことを特徴とするカメラ映像記録装置。
【請求項２】
請求項１のカメラ映像記録装置において、
前記記録制御手段は、前記第１の記録媒体に記録した内容を前記第２の記録媒体に転送するときに、前記第２の記録媒体の取り出しを禁止するように制御することを特徴とするカメラ映像記録装置。
【請求項３】
請求項１のカメラ映像記録装置において、
前記記録制御手段は、前記第１の記録媒体に記録した内容を前記第２の記録媒体に転送して記録するときは、前記第１の記録媒体の記録する速度の２倍の速度で記録するように制御することを特徴とするカメラ映像記録装置。
【請求項４】
カメラ映像信号を符号化処理して第１の記録媒体に記録し、
第２の記録媒体の有無に応じて、
有りの場合には前記第１の記録媒体に記録した映像信号を所定記録容量毎に前記第２の記録媒体に転送し、
無しのときには前記第１の記録媒体にエンドレス記録または所定時間記録することを特徴とするカメラ映像記録方法。
【請求項５】
記録準備中に第１の記録媒体にエンドレス記録するステップと、
前記記録準備中を解除して記録開始前に前記第１の記録媒体に記録した記録内容を高速に第２の記録媒体へ転送するステップと、
該転送中は前記第２の記録媒体の取り出しを禁止するステップと、
前記転送が終了したとき前記取り出し禁止を解除するステップと、
前記第１の記録媒体に所定容量記録されたか否かを検出するステップと、
前記第１の記録媒体に所定容量記録された場合前記第２の記録媒体へ転送するステップと、
取り出しスイッチのオンオフを検出するステップと、
前記取り出しスイッチがオンされたときに前記第１の記録媒体へ所定時間記録するステップと、を含むことを特徴とするカメラ映像記録方法。
【発明の詳細な説明】
【技術分野】
【０００１】
本発明は、記録媒体にカメラ映像を記録する映像記録カメラに関し、記録媒体の記録準備完了前でも撮像信号を記録する技術に関するものである。
【背景技術】
【０００２】
テレビカメラには、撮像するだけでなく、ＶＴＲなどの記録装置を搭載した映像記録カメラがある。ＶＴＲ付き映像記録カメラで撮像して収録を行う場合は、ＶＴＲがビデオテープを使用し、その構造上、テープの認識などに時間を要し、装着後すぐに収録できるものではなかった。
【０００３】
ここで、図５の（ａ）および図６の（ａ）を用いて従来の映像記録カメラの撮影動作を説明する。図５の（ａ）は収録開始時の記録部の状態を示したものである。電源投入後（電源ＯＮ）、記録媒体を装着してもその認識等に要する時間があるため、記録開始スイッチを受け付けない時間が存在する（スタンバイ）。スタンバイが完了した後に、記録開始ボタンが押され、記録が開始される（記録中）。その後の記録停止後でもスタンバイ時間が存在し、このスタンバイが完了になるまで電源オフできない。また、図６の（ａ）は収録中を表したものである。図６の（ａ）から読み取れるように、記録中は記録媒体（テープ）の交換もできないことはもちろんのこと、ストップスイッチを押して停止させた場合でも取り出すまでに時間を要す。
【０００４】
図５（ａ）および図６（ａ）は記録媒体がビデオテープばかりでなく、ディスクでも同様である。
【０００５】
現在、ビデオテープやディスクでなく、メモリ素子を利用したＩＣメモリ（以後、メモリパックとも称する）を記録媒体とする映像記録カメラがある。この映像記録カメラではＶＴＲやディスクと異なり、メカニックな駆動部分を持たないため、電源投入後または装着後直ちに録画可能である。
【０００６】
また、ディスクを利用した撮像装置の公知例としては、ディスクが記録開始するのでの間、記録媒体（ディスク）とは異なるＩＣメモリに映像信号を圧縮して記録する技術が開示されている（例えば、先行文献１を参照）。
【特許文献１】特開２００６−３３２９８３号公報
【発明の開示】
【発明が解決しようとする課題】
【０００７】
図５（ａ）および図６（ａ）に示すような動作を行う従来の記録カメラでは、記録中に記録を停止して記録媒体を取り出して後、再び別の記録媒体を挿入して記録を行う場合に、その交換時の映像を取り逃がす可能性がある。この一つの原因としては記録装置の記録準備期間が長いという問題点があるが、これは記録媒体をＩＣメモリに変更することにより解決する。
【０００８】
また、特許文献１に記載のように記録準備期間の映像を別のＩＣメモリに記録して記録準備完了後に記録媒体に記録する技術もある。特許文献１にはＩＣメモリとなるバッファメモリの残容量と記録準備期間に基づいてビットレートや圧縮率を計算して記録する技術が開示されているが、これは記録準備中の映像信号を記録するために使用するものであり、ディスク記録が始まると動作しない。また、ビットレートや圧縮率の演算に時間がかかるためにスクープ映像があった場合にも対応が遅れる可能性もある。
【０００９】
本発明は、記録準備中やスクープ映像があった場合についても取り逃がしのなく、記録媒体がない場合でも記録対応可能なカメラ映像記録装置及びカメラ映像記録方法を提供することを目的とする。
【課題を解決するための手段】
【００１０】
本発明による第１の態様のカメラ映像記録装置は、固体撮像素子からの撮像信号をカメラ信号処理後に符号化処理する符号化手段と、該符号化処理した撮像信号を記録する第１の記録媒体と、該第１の記録媒体の記録内容を転送して記録する第２の記録媒体と、該第２の記録媒体の有無を検出する検出手段と、前記第１の記録媒体および前記第２の記録媒体を制御する記録制御手段を有し、記録準備中に前記検出手段が有りと判断した場合、前記記録制御手段は前記第１の記録媒体にエンドレス記録を行わせる制御を行い、記録中に前記検出手段が有りと判断した場合、前記記録制御手段は前記第１の記録媒体に前記第２の記録媒体のバッファメモリとして動作させる制御を行い、記録中に前記検出手段が無しと判断し場合、前記記録制御手段は前記第１の記録媒体に所定時間の記録をさせる制御を行う、ことを特徴とする。
【００１１】
また、本発明による第２の態様のカメラ映像記録装置は、本発明の第１態様のカメラ映像記録装置において、前記記録制御手段は、前記第１の記録媒体に記録した内容を前記第２の記録媒体に転送するときに、前記第２の記録媒体の取り出しを禁止するように制御することを特徴とする。
【００１２】
また、本発明による第３の態様のカメラ映像記録装置は、本発明の第１態様のカメラ映像記録装置において、前記記録制御手段は、前記第１の記録媒体に記録した内容を前記第２の記録媒体に転送して記録するときは、前記第１の記録媒体の記録する速度の２倍の速度で記録するように制御することを特徴とする。
【００１３】
さらに、本発明による第１の態様のカメラ映像記録方法は、カメラ映像信号を符号化処理して第１の記録媒体に記録し、第２の記録媒体の有無に応じて、有りの場合には前記第１の記録媒体に記録した映像信号を所定記録容量毎に前記第２の記録媒体に転送し、無しのときには前記第１の記録媒体にエンドレス記録または所定時間記録することを特徴とする。
【００１４】
また、本発明による第１の態様のカメラ映像記録方法は、記録準備中に第１の記録媒体にエンドレス記録するステップと、前記記録準備中を解除して記録開始前に前記第１の記録媒体に記録した記録内容を高速に第２の記録媒体へ転送するステップと、該転送中は前記第２の記録媒体の取り出しを禁止するステップと、前記転送が終了したとき前記取り出し禁止を解除するステップと、前記第１の記録媒体に所定容量記録されたかどうか検出するステップと、前記第１の記録媒体に所定容量記録された場合前記第２の記録媒体へ転送するステップと、取り出しスイッチのオンオフを検出するステップと、前記取り出しスイッチがオンされたときに前記第１の記録媒体へ所定時間記録するステップとを含むことを特徴とする。
【発明の効果】
【００１５】
本発明の第１態様のカメラ映像記録装置および第１態様のカメラ映像記録方法によれば、第２の記録媒体の有無に関係なく、常に第１の記録媒体に記録されるため、取り逃がしということがなくなるという効果を有する。また、記録準備中はエンドレス記録により常に最新映像を保存する効果を有する。第２の記録媒体が無しのときには所定時間記録することにより取り出し後の所定時間の映像信号が保存できるという効果を有する。
【００１６】
本発明の第２態様のカメラ映像記録装置によれば、第１の記録媒体から記録準備中の記録内容を第２の記録媒体へ転送中に取り出しを禁止することにより、第２の記録媒体に必ず記録準備中の記録内容が保存される効果を有する。
【００１７】
本発明の第３態様のカメラ映像記録装置によれば、第２の記録媒体への転送速度を２倍にしたことにより、第２の記録媒体へのアクセス時間が短くなるため、第２の記録媒体の取り出す時期が広がり、カメラを使用するカメラマンにとって好適なものとなる。
【００１８】
第２態様のカメラ映像記録方法によれば、第２の記録媒体の有無に関係なく、常に第１の記録媒体に記録されるため、取り逃がしということがなくなるという効果を有する。また、記録準備中はエンドレス記録により常に最新映像を保存する効果を有する。また、第１の記録媒体から記録準備中の記録内容を第２の記録媒体へ転送中に取り出しを禁止することにより、第２の記録媒体に必ず記録準備中の記録内容が保存それる効果を有する。第２の記録媒体が無しのときには所定時間記録することにより取りだし後の所定時間の映像信号が保存できるという効果を有する。
【発明を実施するための最良の形態】
【００１９】
本発明の実施形態の例について図１から図５を参照して説明する。
【００２０】
［装置構成］
図１は、本発明の実施例によるカメラ映像記録装置のブロック図である。図１に示されるカメラ映像記録装置は、固体撮像素子であるＣＣＤ（Ｃｈａｒｇｅ  Ｃｏｕｐｌｅｄ  Ｄｅｖｉｃｅ）１０と、カメラ信号処理および符号化処理回路１１と、メモリ素子１２と、メモリパック１３と、メモリパック有無検出回路１４と、記録制御部１５と、液晶パネル１６とを備える。
【００２１】
次に、各構成要素の動作について説明する。ＣＣＤ１０は光学信号を光電変換して電気信号に変換する。
【００２２】
なお、通常の記録カメラではＲＧＢの３チャンネル使用するが本発明の実施例では本発明と密接に関係する部分ではないので１チャンネルとして説明する。また、テレビカメラでは記録した映像信号を液晶パネルに再生して確認を行うが本発明は記録装置なので映像の再生系については割愛する。
【００２３】
カメラ信号処理および符号化処理回路１１はＣＣＤ１０の出力をニーやガンマなどのカメラ信号処理を行い、得られた映像信号をＭＰＥＧ−２で符号化する。メモリ素子１２は符号化された映像信号を記録制御部１５の制御信号に基づいて記録を行い、その記録した映像信号をメモリパック１３へ転送する。メモリ素子１２は、記録制御部１５の制御信号に基づいて所定容量以下の信号の記録に制御されるので、大容量のメモリ素子を必要としない。なお、記録制御部１５の制御方法については後に詳述する。
【００２４】
メモリパック１３はメモリ素子１２から転送される映像信号を記録する。メモリパック１３は、メモリ素子１２よりも大きな容量を持ち、映像を記録する主なる記録媒体として利用される。つまり、メモリパック１３をメインメモリとしてみた場合は、メモリ素子１２はバッファメモリであると見做すことができる。
【００２５】
また、メモリパック１３はカメラ映像記録装置から挿脱可能に構成され、互換性をもったメモリパック１３と交換が可能に構成されている。
【００２６】
メモリパック有無検出回路１４はメモリパック１３の有無を検出する。有無の検出は、例えば所定アドレスに書き込み、書き込んだデータを読み出すことにより比較して行う。または前もって所定アドレスに記録したデータを読み出し比較することによりメモリパックの有無を検出する。
【００２７】
メモリパック有無検出回路１４による検出結果は記録制御部１５に送られ、メモリ素子１２とメモリパック１３の制御に利用される。メモリパック有無検出回路１４による検出結果がメモリパック１３は無しと判断された場合、記録開始時あるいはメモリパック１３の取り出し時から所定時間のみの映像を記録するように、記録制御部１５がメモリ素子１２を制御する。ここで、所定時間とはメモリ素子１２に保持できる映像の時間であり、メモリ素子１２の容量とカメラ信号処理および符号化処理回路１１からの映像信号のビットレートや圧縮率とから定まる。この記録可能な時間を下回る時間を予め設定することも可能である。
【００２８】
メモリパック有無検出回路１４による検出結果がメモリパック１３は装着中と判断された場合かつカメラ映像記録装置（とくにメモリパック１３）が記録準備中である場合、記録制御部１５はメモリ素子１２を制御してエンドレス記録を行う。エンドレス記録とは記録容量が限られた場合で容量一杯に記録したときに、古い情報を廃棄して常に新しい情報を記録する方法である。その後、カメラ映像記録装置の記録準備が完了したときに、メモリ素子１２からメモリパック１３へと映像信号を転送する。すなわち、この場合は、メモリパックが記録可能になった時間から、メモリ素子１２に保持可能な記録時間だけ遡ることができる映像が記録できる。
【００２９】
また、記録制御１５は、ユーザー（カメラマン）が操作を行う不図示の操作部からの入力制御も行う。操作部から入力された記録準備の開始信号、記録開始信号、記録停止信号、およびメモリパック１３の取り出し信号などに応じて、メモリ素子１２やメモリパック１３を制御する。この制御は、メモリ素子１２、メモリパック１３、およびメモリパック有無検出回路１４等の状態の判断と共に実行される。例えばそのように制御例には、メモリパック１３が書き込み中はメモリパック１３の取り出し信号を無視することによって取り出し禁止の制御を行うこと、などが挙げられる。
【００３０】
さらに、記録制御１５は、メモリパック１３の交換時にメモリ素子１２に記録した内容について液晶パネル１６に表示して操作者（カメラマン）に対してメモリパック１３への転送を行うかの選択を促し、その選択結果によって映像信号の転送の行う。液晶パネル１６はこの選択表示専用ではなく他と兼用の液晶モニタで構わない。
【００３１】
［制御方法］
図２、図３、および図４は記録制御部１５の動作の例を示すフローチャートである。これら３つの図（図２、図３、図４）に記載されるフローチャートは、結合子１から６（図中の丸記号）によって互いに結合され、１つのフローチャートを構成している。また、説明のために、図１に図示されたカメラ映像記録装置の同様の構成要素に関しては同じ符号を用いて説明する。
【００３２】
はじめに、記録準備スイッチがオンされたかどうかを検出する。記録準備スイッチは記録を操作する操作部（図示なし）でオンにされたかどうかを検出し、オンのときは記録制御部１５に対してオン信号を伝送する。オンの場合はステップＳ２０１に進み、オフの場合はステップＳ２０５へ進む（Ｓ２００）。
【００３３】
ステップＳ２０１では、記録制御部１５がメモリ素子１２に対してエンドレス記録の制御を行う（Ｓ２０１）。エンドレス記録とは記録容量が限られた場合で容量一杯に記録したときに、古い情報を廃棄して常に新しい情報を記録する方法である。１フレームまたは所定フレーム記録後にステップＳ２０２へ進む。
【００３４】
ステップＳ２０２では、記録開始スイッチがオンされたかどうかを記録制御部１５は検出する。なお、検出方法については記録準備スイッチと同じである。記録開始スイッチはメモリパック１３が挿入されたことを確認してからスイッチ入力を許可する。記録開始スイッチがオフであればメモリパック１３が挿入されていないためステップＳ２０１へ進み、記録制御部１５はメモリ素子１２に対するエンドレス記録の制御を続ける。記録開始スイッチがオンのときはステップＳ２０３へ進む（Ｓ２００）。
【００３５】
ステップＳ２０３では、記録制御部１５はメモリパック１３の取り出しを禁止する（Ｓ２０３）。次のステップＳ２０４へ進む。
【００３６】
ステップＳ２０４では、メモリ素子１２からメモリパック１３へ映像信号の高速転送し、メモリパック１３へ記録する制御を記録制御部１５は実行する（Ｓ２０４）。その後、ステップＳ２０６へ進む。
【００３７】
ステップＳ２０５では、記録開始スイッチオンの信号を受信して、記録制御部１５は記録開始の制御を行う。オンの場合ステップＳ２０７へ、オフの場合このフローチャートの最後に進む（Ｓ２０５）。
【００３８】
ステップＳ２０６では、ステップ２０４での高速転送が終了しているので、記録制御部１５は取り出し禁止を解除する（Ｓ２０６）。そして、次のステップＳ２０７へ進む。
【００３９】
ステップＳ２０７では、カメラ信号処理および符号化処理回路１１からの映像信号をメモリ素子１２に記録する（Ｓ２０７）。そして、次のステップＳ２０８へ進む。
【００４０】
ステップＳ２０８では、記録制御部１５は記録停止スイッチがオンかどうかを検出する（Ｓ２０８）。記録停止スイッチのオンオフ情報は記録準備スイッチと同様である。オンの場合ステップＳ２１６へ進む。オフの場合はステップＳ２０９へ進む。
【００４１】
ステップＳ２０９では、記録制御部１５はメモリ素子１２に所定容量の記録をしたかどうかを検出する。所定容量の記録をしていない場合はステップＳ２０７へ進み、記録した場合はステップＳ２１０へ進む（Ｓ２０８）。
【００４２】
ステップＳ２１０では、メモリ素子１２からメモリパック１３へ高速転送してメモリ素子１２の内容を記録する（Ｓ２１０）。その後ステップＳ２１１へ進む。
【００４３】
ステップＳ２１１では、記録制御部１５は取り出しスイッチがオンかどうかを検出する。取出スイッチのオンオフ動作についても記録準備スイッチと同様である。取り出しスイッチがオフの場合はステップＳ２０７へ進み、オンの場合はステップＳ２１２へ進む（Ｓ２１１）。
【００４４】
ステップＳ２１２では、記録制御部１５はメモリ素子１２に所定時間記録（例えば、３０秒間）の制御を実行する。その後ステップＳ２１３へ進む（Ｓ２１２）。
【００４５】
ステップＳ２１３では、メモリパック１３の有無をメモリパック有無検出１４より検出する。メモリパック１３が無ければ、ステップＳ２１６へ進み、メモリパックが有る場合はステップＳ２１４へ進む（Ｓ２１３）。
【００４６】
ステップＳ２１４では、メモリ素子１２に記録したものを廃棄するかどうかを選択する。記録制御部１５は廃棄するかどうかを液晶パネル１６に表示して、操作する人（例えばカメラマン）に選択させる。廃棄の場合はステップＳ２１６へ進み、廃棄しない場合はステップＳ２１５へ進む（Ｓ２１４）。
【００４７】
ステップＳ２１５はメモリ素子１２からメモリパック１３へ映像信号を高速転送する（Ｓ２１５）。その後ステップＳ２０７へ進む。
【００４８】
ステップＳ２１６では、メモリ素子１２の内容をクリアして次の記録時まで待機してこのフローチャートを終了する（Ｓ２１６）。
【００４９】
以上に説明したフローチャートから解るように、記録制御部１５は、メモリパック１３の有無を検出し、メモリパック１３が有る場合にはメモリ素子１２に記録した映像信号を所定記録容量毎にメモリパック１３へ転送する制御を行う。さらに、メモリパック１３が無い場合には、エンドレス記録または所定時間記録を行う制御をする。このとき、エンドレス記録を行うかあるいは所定時間記録を行うかの判断は、カメラ映像記録装置（とくにメモリパック１３）が記録準備状態であるかによって判断する。
【００５０】
図５（ｂ）は本発明の実施例によるカメラ映像記録装置の収録開始時における動作の一例である。図５（ａ）と比較するとよく解るように、本発明のカメラ映像記録装置では電源オンのすぐ後に収録可能である。つまり、メモリパックが装着されていなくても、記録準備スイッチをオンにすることにより、メモリ素子にエンドレス記録をすることができる。
【００５１】
その後メモリパックの装着を行い、準備が完了して記録開始スイッチをオンにする。メモリ素子からメモリパックへ高速転送が行われると同時にメモリパックの取り出しを禁止する。メモリ素子はメモリパックへの転送中でも時分割で記録し続ける。メモリパックへの高速転送が終了すると取り出し禁止を解除する。
【００５２】
その後は、メモリ素子に所定容量毎に記録するとメモリパックへ高速転送する。記録停止スイッチにより記録を停止してスタンバイ状態にしてから電源をオフにする。
【００５３】
図６（ｂ）はメモリパックに記録中に取り出して交換する場合を示したものである。メモリパックの取り出し直後にメモリ素子への記録が開始される。その後、交換用メモリパックを装着すると、メモリ素子の記録内容を転送するか廃棄するかを取捨選択する。メモリ素子の記録内容を転送することを選択した場合、メモリ素子に記録されていた情報をメモリパックへ高速転送する。なお、メモリ素子には所定時間しか記録しないため所定時間を過ぎると記録映像が途切れる可能性がある。したがって、交換時間は所定時間内に行うことが好ましい。記録停止スイッチで記録を停止する。
【００５４】
図７は、本実施例のカメラ映像記録装置をテレビカメラに適用した一例を示す図である。例えば、スクープ映像として「立てこもり映像」を収録中に、「警官突入」映像に切り替わったため、メモリパック１３（メディア）を交換して収録する状況を想定している。この場合、「立てこもり映像」のメディア１０１と「警官突入」のメディア１０２のメモリパック（メディア）に番号を付与しておき、これらの番号を読み出すことによって、簡単に収録素材のメディア１０３を制作することができる。
【００５５】
上述した実施例のほかにも、本発明には幾多の変形例が可能である。例えば、複数のメモリ素子１２及び複数のメモリパック１３を組み合わせて、複数のメモリ素子１２の記録時間を可変に設定するように構成することもできる。従って、本発明は、上述の実施例に制限されるものではなく、特許請求の範囲によってのみ制限される。
【産業上の利用可能性】
【００５６】
本発明は、放送局で使用するテレビカメラでニュースなどを収録するカメラ映像記録装置に有用である。また、記録媒体はテープやディスクなどの起動時間が長いものでなく、ＩＣメモリを利用したメモリパックなどを使用した場合に有用である。
【図面の簡単な説明】
【００５７】
【図１】本発明のカメラ映像記録装置のブロック図である。
【図２】記録制御のフローチャートである（その１）。
【図３】記録制御のフローチャートである（その２）。
【図４】記録制御のフローチャートである（その３）。
【図５】収録開始時における記録装置の状態を表したものである。
【図６】収録時における記録装置の状態を表したものである。
【図７】本発明の適用例である。
【符号の説明】
【００５８】
１０  ＣＣＤ（Ｃｈａｒｇｅ  Ｃｏｕｐｌｅｄ  Ｄｅｖｉｃｅ）
１１  カメラ信号処理兼符号化処理回路
１２  メモリ素子
１３  メモリパック
１４  メモリパック有無検出回路
１５  記録制御部
１６  液晶パネル
１０１  「立てこもり映像」のメディア
１０２  「警官突入」のメディア
１０３  収録素材のメディア
【図１】
2010050732.tif 000003
【図２】
2010050732.tif 000004
【図３】
2010050732.tif 000005
【図４】
2010050732.tif 000006
【図５】
2010050732.tif 000007
【図６】
2010050732.tif 000008
【図７】
2010050732.tif 000009